(57)【要約】      （修正有）【課題】運転者を保護する車両用のインターロック回路機構を提供する。【解決手段】車両制御システム６０は、車両を自動モード及び手動モードで操作するように構成されている。車両制御システム６０は、自動モードと手動モードとを切り換える第１選択スイッチ３０と、自動モードと手動モードとを切り換える第２選択スイッチ３１と、第１選択スイッチ３０と第２選択スイッチ３１とが異なるモードに切り換えられているときに、機械の推進力を停止させるように構成されているインターロック回路７０と、を有する。【選択図】図２
2020192975.tif 000002
【特許請求の範囲】
【請求項１】
車両を自動モードと手動モードとで操作するよう構成された車両制御システムを備える車両であって、
前記車両制御システムは、
前記自動モードと前記手動モードとを切り換える第１選択スイッチと、
前記自動モードと前記手動モードとを切り換える第２選択スイッチと、
前記第１選択スイッチと前記第２選択スイッチとが異なるモードに切り換えられているときに、機械の推進力を停止させるように構成されているインターロック回路と、
を有する車両。
【請求項２】
請求項１に記載の車両において、
前記車両を前記手動モードで操作するための入力要素を有する、運転者用の車室を更に備え、
前記第１選択スイッチは前記車室内に配置され、
前記第２選択スイッチは前記車室外に配置され、
前記第２選択スイッチはまた、前記車両における、前記車両の隣の地面に立っている人がアクセスできかつ前記車室からはアクセスできない領域に配置されている車両。
【請求項３】
請求項１に記載の車両において、、
前記車両を前記手動モードで操作するための入力要素を有する、運転者用の車室と、
前記車室まで登るためのはしご又は階段の少なくとも一方を更に備え、
前記第１選択スイッチは、前記はしご又は前記階段の少なくとも一方を登ることでアクセスできる第１領域に配置され、
前記第２選択スイッチは、前記はしご又は前記階段の少なくとも一方を降りることでアクセスできる第２領域に配置されている車両。
【請求項４】
請求項１に記載の車両において、
前記インターロック回路は第１リレーを有し、
前記第１リレーは、該第１リレーの制御ポートに電力が供給されていないときに、前記機械の推進力を停止させるように構成され、
前記第１及び第２選択スイッチは、前記第１リレーの前記制御ポートへに電力の供給を制御するように構成され、
前記第１及び第２選択スイッチはまた、同じモードに切り換えられているときに、直列に接続されて、前記第１リレーの前記制御ポートに電力を供給する一方、異なるモードに切り換えられているときに、前記第１リレーの前記制御ポートへの電力の供給を遮断する車両。
【請求項５】
請求項４に記載の車両において、
前記インターロック回路は、前記第１リレーと直列に並べされた第２リレーを有し、
前記第１及び第２リレーは、互いに独立して前記車両の推進力を停止させることが可能であり、
前記第２リレーは、前記車両制御システムのマイクロプロセッサにより制御され、
前記マイクロプロセッサは、メモリと指示部とを含む車両。
【請求項６】
請求項１に記載の車両において、
前記インターロック回路の第２ステージを遠隔制御するように構成されたリモコンを更に備える車両。
【請求項７】
請求項４に記載の車両において、
前記インターロック回路の第２ステージは、前記第１リレーの前記制御ポートに電力を供給する第１電源ラインに配置された第３リレーを含み、
前記第３リレーはリモコンにより制御される車両。
【請求項８】
請求項４に記載の車両において、
前記車両の推進力を停止させる第３スイッチを更に備え、
前記第３スイッチは、該第３スイッチが、前記第１及び第２選択スイッチとは独立して前記第１リレーの前記制御ポートへの電力の供給を遮断する構成となるように、前記第１及び第２選択スイッチと直列接続されている車両。
【請求項９】
請求項８に記載の車両において、
パークブレーキを更に備え、
前記車両制御システムは、前記第３スイッチにより前記車両の推進力が停止されているときには、前記パークブレーキが開放されないように構成されている車両。
【請求項１０】
請求項１に記載の車両において、
励起装置を含むオルタネータを更に備え、
前記インターロック回路は、前記励起装置への電力供給を遮断して、前記車両の推進力を停止させるように構成されている車両。
【請求項１１】
請求項１０に記載の車両において、
前記インターロック回路は、前記励起装置への電力供給を遮断するように構成された第１リレーを有し、
前記第１及び第２選択スイッチは、前記第１リレーの制御ポートへに電力の供給を制御するように構成され、
前記第１及び第２選択スイッチはまた、同じモードに切り換えられているときに、直列に接続されて、前記第１リレーの前記制御ポートに電力を供給する一方、異なるモードに切り換えられているときに、前記第１リレーの前記制御ポートへの電力の供給を遮断する車両。
【請求項１２】
車両であって、
エンジンと、
励起装置を有しかつ前記エンジンにより駆動して電気エネルギーを生成するオルタネータと、
前記オルタネータによって生成された電気エネルギーによって駆動されかつ車両を推進するように構成された電気駆動装置と、
前記励起装置への電力の供給を遮断するように構成されたインターロック回路を有する安全システムと、を備える車両。
【請求項１３】
請求項１２に記載の車両において、
前記インターロック回路は、前記励起装置に電力を供給する第１電源ラインに配置された第１リレーを有し、
前記第１リレーは、該第１リレーの制御ポートが駆動していないときには、前記励起装置への電力の供給を遮断するように構成されている車両。
【請求項１４】
請求項１３に記載の車両において、
前記第１リレーの前記制御ポートを遠隔操作で駆動するよう構成されたリモコンを備える車両。
【請求項１５】
請求項１３に記載の車両において、
前記第１リレーの前記制御ポートに電力を供給する第２電源ラインに配置された少なくとも１つのスイッチを備え、
前記スイッチは、前記制御ポートへの電力の供給の遮断をマニュアルで操作することができる車両。
【請求項１６】
請求項１２に記載の車両において、
前記電気駆動装置と接続されかつ該電気駆動装置をブレーキモードで操作する電気リターダを更に備え、
前記電気リターダは、前記インターロック回路が作動しているときには、前記電気駆動装置との接続を維持するよう構成されている車両。
【請求項１７】
請求項１２に記載の車両において、
パークブレーキを更に備え、
前記安全システムは、前記インターロック回路が作動しているときには、前記パークブレーキと連動するよう構成されている車両。
【請求項１８】
車両を制御する手動モードと自動モードとの間の移行方法であって、
第１選択スイッチが手動モードに切り換えられかつ第２選択スイッチが手動モードに切り換えられた状態で、前記車両を手動モードで操作するステップと、
前記第１選択スイッチを手動モードから自動モードに切り換えるステップと、
前記第２選択スイッチを手動モードから自動モードに切り換えるステップと、を含み、
前記第１選択スイッチが自動モードに切り換えられかつ前記第２選択スイッチが手動モードに切り換えられている移行期間の間は、インターロック回路により機械の推進力が停止される移行方法。
【請求項１９】
請求項１８に記載の移行方法において、
リモコンにより前記インターロック回路を停止させるステップを更に含む移行方法。
【請求項２０】
請求項１８に記載の移行方法において、
前記車両を手動モードで操作するステップ及び前記第１選択スイッチを手動モードから自動モードに切り換えるステップは、前記車両の車室で実行され、
前記第２選択スイッチを手動モードから自動モードに切り換えるステップは、前記車両の隣の地面に立っているときに実行される移行方法。
【発明の詳細な説明】
【技術分野】
【０００１】
第１の側面において、本開示は、自動モードと手動モードとで車両を操作するように構成された車両制御システムを備える車両に関する。
【０００２】
第２の側面において、さらに本開示は、エンジンと、励起装置を有しかつエンジンにより駆動して電気エネルギーを生成するオルタネータと、オルタネータによって生成された電気エネルギーによって駆動されかつ車両を推進するように構成された電気駆動装置と、を備える車両に関する。
【０００３】
第３の側面において、本開示は、車両を制御するための手動モードと自動モードとの移行方法に関する。
【背景技術】
【０００４】
ダンプカーのような車両は、車両制御システムが自動で車両を制御する自動モードと、車両が運転者により制御される手動モードとを有していることがある。運転者は、手動モードで車両を制御する際に車両の車室内に座る。車両は、手動モードから自動モードに切り換え可能である。
【０００５】
ダンプカーのような車両の推進力は、オルタネータを駆動するエンジンによって電力供給される電気駆動装置によって提供されてもよい。このような推進システムは、ときどきディーゼル電気と呼ばれる。ディーゼル電気車両は、運転者が車両の推進力を停止することを可能にする緊急停止装置を備えることができる。
【発明の概要】
【発明が解決しようとする課題】
【０００６】
本開示の目的は、車両の手動モードと自動モードとの間を移行する機能及び方法を提供することにある。さらに、本開示の目的は、運転者が、車両を手動モードで操作するために車両に近づくとき、又は車両を自動モードで操作できるように車両から離れるときに、運転者を保護する機能および方法を提供することにある。
【０００７】
さらに、本開示の目的は、ディーゼル電気の推進力を有する車両用のインターロック回路機構を提供することにある。
【課題を解決するための手段】
【０００８】
前記目的及び他の目的は、本開示の実施形態により解決され得る。
【０００９】
本開示は、２つのハードウェア選択スイッチを用いて、車両の手動モードと自動モードとの間を移行するという概念を有する。
【００１０】
本開示は、けん引式オルタネータの励起装置からの供給電圧を切断するリレーを含む回路という概念を有する。
【００１１】
本開示は、けん引式オルタネータの励起装置からの供給電圧を切断する回路にインターロック回路トリガーを組み込むという概念を有する。
【００１２】
本開示は、人が手動運転から自動運転への移行に従事していることを検出するモード選択スイッチを使用して、励起切断回路を作動させるという概念を有する。
【００１３】
第１実施形態において、車両は、該車両を自動モードと手動モードとで操作するよう構成された車両制御システムを備え、該車両制御システムは、自動モードと手動モードとを切り換える第１選択スイッチと、自動モードと手動モードとを切り換える第２選択スイッチと、第１選択スイッチと第２選択スイッチとが異なるモードに切り換えられているときに、機械の推進力を停止させるように構成されているインターロック回路と、を有する。
【００１４】
ある実施形態において、第１選択スイッチと第２選択スイッチとは、単一の操作者が両方のスイッチに同時にアクセスできないように、空間的に分離されていてもよい。ある実施形態では、第１及び第２選択スイッチの各位置は、一方が地上レベルで、他方が車室レベルであってもよい。
【００１５】
第２実施形態において、車両は、エンジンと、励起装置を有しかつエンジンにより駆動して電気エネルギーを生成するオルタネータと、オルタネータによって生成された電気エネルギーによって駆動されかつ車両を推進するように構成された電気駆動装置と、励起装置への電力の供給を遮断するように構成されたインターロック回路を有する安全システムと、を備える。
【００１６】
第３実施形態は車両を制御する手動モードと自動モードとの間の移行方法に関し、該移行方法は、第１選択スイッチが手動モードに切り換えられかつ第２選択スイッチが手動モードに切り換えられた状態で、車両を手動モードで操作するステップと、第１選択スイッチを手動モードから自動モードに切り換えるステップと、第２選択スイッチを手動モードから自動モードに切り換えるステップと、を含み、第１選択スイッチが自動モードに切り換えられかつ第２選択スイッチが手動モードに切り換えられている移行期間の間は、インターロック回路により機械の推進力が停止される。
【図面の簡単な説明】
【００１７】
【図１】図１は、本実施形態に係る車両の側面図である。
【図２】図２は、車両制御システムのダイヤグラムを例示する概略図である。
【図３】図３は、車両の構成要素を示す概略図である。
【図４】図４は、第１実施形態に係る、手動モードと自動モードとの間の移行方法のステップを示す概略図である。
【図５】図５は、第２実施形態に係る、手動モードと自動モードとの間の移行方法のステップを示す概略図である。
【発明を実施するための形態】
【００１８】
図１は、本実施形態の車両１０を例示し、この車両１０は、鉱山において輸送目的で使用されるダンプカーである。このダンプカーは、１００メートルトン以上のペイロードを有していてもよい。本開示の概念は、他の種類の車両にも同様に適用可能である。
【００１９】
ダンプカーは、車輪１上を移動可能なシャーシ２を備える。ホイール１は、少なくとも１つのエンジンを有する駆動ユニット６により駆動する。エンジンは、ディーゼルエンジンのような内燃機関であり得る。本実施形態において、駆動ユニット６は、ディーゼル電気駆動ユニットであってもよい。車輪は、ディーゼルエンジンによって駆動されるジェネレータから動力供給される電動モータにより駆動されるものであってもよい。
【００２０】
図１に示すダンプカーは、シャーシ２に載置されたダンプボディ３を備える。ダンプボディは、水平方向の枢軸を用いてシャーシに取り付けられていて、ダンプボディに積載された材料をダンプボディからダンプトラックの後方に滑り出させるために、ホイストシリンダー４により旋回可能である。
【００２１】
ダンプカーは、車両を制御する車両制御システム６０を更に備える。第１実施形態の車両制御システム６０は図２に示す。
【００２２】
第１実施形態において、車両制御システムは、自動モードと手動モードとで車両を制御するように構成されている。車両制御システムは、自動モードと手動モードとを切り換える第１選択スイッチ３０と、自動モードと手動モードとを切り換える第２選択スイッチ３１と、第１選択スイッチ３０と第２選択スイッチ３１とが異なるモードに切り換えられているときに、機械の推進力を停止させるように構成されているインターロック回路７０と、を備える。この機能は、第１及び第２選択スイッチにより作動及び停止されるインターロック回路の第１ステージを供給可能である。
【００２３】
自動モードでは、車両制御システムは、所定の軌道を用いて、車両を始点から終点まで自動で移動させる。車両制御システムは、車両の現在位置を識別して、所定の軌道に沿って車両を自動で制御することができる。
【００２４】
手動モードでは、車両は、車両に配置された入力要素を用いて、運転者により制御される。
【００２５】
図１に示すように、ある実施形態では、車両は、該車両のマニュアル操作を可能にするために、ドライバー用の車室５を更に備える。車室は、車両を手動モードで操作するための入力要素が設けられていてもよい。例えば、ステアリングホイール５００やアクセルペダル５１は、車両の操舵角度及び速度を制御するために、車室に設けることができる。
【００２６】
この構成では、第１選択スイッチ３０は車室５に配置することができ、第２選択スイッチ３１は車室５の外側に配置することができる。
【００２７】
ある実施形態では、第２選択スイッチ３１は、車両の隣の地面に立っている人がアクセスできかつ車室５からはアクセスできない領域に配置してもよい。図１に示す実施形態では、第２選択スイッチ３１は、車両のバンパーに配置されている。
【００２８】
図１に示すように、車両は、車室に登るための階段７を有していてもよい。この実施形態では、車室５には、階段７を介してアクセス可能なプラットフォーム８が設けられている。
【００２９】
車両制御システムは、ドライブバイワイヤ機能を提供するコントローラ３２を備えていてもよい。コントローラは、車両のブレーキシステム、ステアリングシステム、及び推進システムを制御することができる。コントローラは、車両を制御するソフトウェアを作動させるマイクロコントローラを有していてもよい。ソフトウェアは、メモリに保存されていてもよい。
【００３０】
手動モードに切り換えられたとき、コントローラは、入力要素５００，５１により与えられるコマンドに基づいて車両を制御する。自動モードに切り換えられたときには、コントローラは、自動システムにより与えられるコマンドに基づいて車両を制御する。
【００３１】
第１選択スイッチ３０と第２選択スイッチ３１とは、ハードウェアスイッチとして構成されていてもよい。ある実施形態では、第１選択スイッチ３０と第２選択スイッチとは、第１位置から第２位置へ切り換え及びその逆を手動で行うことができるように構成されていてもよい。両方のスイッチが第１位置にあるときには、コントローラは手動モードい切り換えられる。両方のスイッチが第２位置にあるときには、コントローラは自動モードに切り換えられる。
【００３２】
２つのスイッチが異なる位置にあるときには、コントローラは、車両が移動しないように該車両を制御する。さらに、安全機能として、２つのスイッチが異なる位置にあるときには、車両の推進力が停止される。
【００３３】
コントローラ３２には、自動モードと手動モードとを切り換える第１入力部３５と第２入力部３６とが設けられ得る。第１入力部３５が駆動しているときには、コントローラ３２は手動モードで操作することができる。第２入力部３６が駆動しているときには、コントローラ３２は自動モードで操作することができる。第１入力部３５も第２入力部３６も駆動していないときには、コントローラは、車両が移動しないように該車両を制御する。
【００３４】
ある実施形態では、第１及び第２選択スイッチは、第１入力部３５及び第２入力部３６をそれぞれ電源２３に接続する電源ライン３３，３４と直列に配置されていてもよい。第１及び第２選択スイッチがライン３３，３４に配置される順序は、図２に示す構成とは逆にしてもよい。
【００３５】
第１選択スイッチ３０は、電源ライン３３に配置された第１選択切換接続部３０’と、電源ライン３４に配置された第２選択切換接続部３０’’とを有していてもよい。第２選択スイッチ３１は、電源ライン３３に配置された第１選択切換接続部３１’と、電源ライン３４に配置された第２選択切換接続部３１’’とを有していてもよい。
【００３６】
第１選択スイッチ３０と第２選択スイッチ３１とは、各スイッチの第１位置において、第１選択切換接続部３０’，３１’が閉じかつ第２選択切換接続部３０’’，３１’’が開くように（手動モード位置になるように）構成されており、各スイッチの第２位置において、第１選択切換接続部３０’，３１’が開きかつ第２選択切換接続部３０’’，３１’’が閉じるように（自動モード位置になるように）構成されている。
【００３７】
コントローラ３２を自動モードと手動モードとの間で切り換えることに加えて、第１及び第２選択スイッチは、それらが異なる位置にあるとき、機械の推進力を停止させることができる。
【００３８】
ある実施形態では、車両の推進力の停止はコントローラ３２とは独立している。
【００３９】
ある実施形態では、車両の推進力の停止は、インターロック回路７０が選択スイッチ３０，３１によって制御されるように、インターロック回路７０に選択スイッチ３０，３１をハード配線することによって提供される。
【００４０】
ある実施形態では、インターロック回路７０は第１リレー２１を有していてもよい。第１リレー２１は、該第１リレーの制御ポート２２が電力供給されていないときに、機械の推進力を停止させるように構成されている。
【００４１】
ある実施形態では、第１選択スイッチ３０と第２選択スイッチ３１とは、第１リレー２１の制御ポート２２への電力供給を制御するように構成されている。第１及び第２選択スイッチ３０，３１は、同じモードに切り換えられているときに、第１リレー２１の制御ポート２２に電力を供給するように構成され、違うモードに切り換えられているときに、第１リレー２１の制御ポート２２への電力の供給を遮断するように構成されている。
【００４２】
ある実施形態では、第１及び第２選択スイッチにより切り換えられる電源ライン３３，３４は、電源ライン５２，５３を介して第１リレー２１の制御ポート２２に接続されていてもよい、接続は並列接続であり得る。
【００４３】
ある実施形態では、インターロック回路は、第１リレー２１と直列に配置された第２リレー４０を有していてよい、第１リレー２１と第２リレー４０とは、たがいに独立して車両の推進力を停止させることができる。ある実施形態では、第２リレー４０は、コントローラ３２のマイクロプロセッサにより制御されてもよい。コントローラ３２は、推進力を停止させるようなアクションを実行するためのメモリ及び命令部を含む。
【００４４】
コントローラには、第２リレー４０の制御ポート４１への電力供給を制御する出力部３９が設けられていてもよい。
【００４５】
ある実施形態では、車両制御システムは、インターロック回路７０を遠隔操作するように構成されたリモコン２６を有していてもよい。この機能は、インターロック回路７０の第２ステージを提供することができる。この実施形態では、リモコン２６は、無線インターフェースにより車両制御システムの受信部４６に接続される。無線インターフェースは、無線通信により提供され得る。
【００４６】
ある実施形態では、リモコン２６は、車両が自動モードであるときに、車両の推進力を停止させる効果のみを有していてもよい。
【００４７】
ある実施形態では、インターロック回路７０の第２ステージは、第１リレー２１の制御ポート２２に電力を供給する第１電源ライン５３に配置された第３リレー４３を有してもよい。第３リレー４３は、リモコン２６により制御される。特に、受信部４６は、第１電源ライン５３に並べられた第３リレーの選択切換接続部４４を閉じて、第３リレー４３の制御ポート４５を駆動させるためにリモコン２６により制御され得る。
【００４８】
第１電源ライン５３は、第１及び第２選択スイッチ３０，３１が自動モードに切り換えられているときに、第１リレー２１の制御ポート２２を電源２３に接続してもよい。
【００４９】
第１電源ライン５３は、リレー４３を介して、第１リレー２１の制御ポート２２をライン３４に接続してもよい。ライン３４は、第１及び第２選択スイッチ３０，３１の両方が自動モードに切り換えられているときに、第１及び第２選択スイッチ３０，３１により駆動されてもよい。
【００５０】
第１電源ライン５３と並列に配置された更なる電源ライン５２は、第１リレー２１の制御ポート２２をライン３３に接続してもよい。ライン３３は、第１及び第２選択スイッチ３０，３１の両方が手動モードに切り換えられているときに、第１及び第２選択スイッチ３０，３１により駆動されてもよい。これにより、リモコン２６は、自動モードでのみ効果を発揮するようになる。
【００５１】
コントローラ３７は、受信部４６と接続される第３入力部を有してもよい。これにより、コントローラは、遠隔操作されている第３リレー４３のステータスを認識することができる。
【００５２】
ある実施形態では、車両制御システムは、車両の推進力を停止させる第３スイッチ４７を更に有していてもよい。第３スイッチ４７は、第１及び第２選択スイッチ３０，３１と直列に接続されていて、第１及び第２選択スイッチ３０，３１とは独立して第１リレー２１の制御ポート２２への電力供給を遮断するよう構成されている。
【００５３】
第３スイッチ４７は、電源２３と第１選択スイッチ３０との間に配置され得る。第１選択スイッチ３０は、第３スイッチ４７の第１出力ターミナルに接続され得る。第３スイッチが閉じ状態であるときに、電源２３と第１選択スイッチ３０との接続が提供される。
【００５４】
第３スイッチ４７は、フィードバック要素４９に接続される、更なる出力ターミナルを有する。フィードバック要素４９は、第３スイッチにより車両の推進力が停止されていることを示す、音又は光の信号を有していてもよい。
【００５５】
ある実施形態では、車両は、パークブレーキ２７を更に有していてもよい。このとき、車両制御システムは、第３スイッチ４７が車両の推進力を停止させているときには、パークブレーキ２７が開放されないように構成されている。
【００５６】
パークブレーキは、パークブレーキバルブ５１を駆動させることにより開放される。ある実施形態では、リレー５０が、パークブレーキバルブ５１を作動させるための制御ライン５８に設けられている。リレー５０の制御ポートは、第３スイッチ４７が閉じ状態になって、制御ライン５８とパークブレーキバルブとの間の接続が形成されたときに駆動されてもよい。制御ライン５８はコントローラ３２に接続されていて、該コントローラ３２はパークブレーキバルブ５１を制御し得る。
【００５７】
図２に示す実施形態では、リレー５０の制御ポートは、スイッチ３０に並列に接続されている。代わりの実施形態では、リレー５０の制御ポートは、第１リレー２１の制御ポート２２に並列に接続されていてもよい。
【００５８】
ある実施形態では、車両の推進システム８０は、励起装置１５を有するオルタネータ１４を有する。インターロック回路７０は、車両の推進力を停止させるために、励起装置１５への電力供給を遮断するよう構成されている。励起装置１５への電力供給を遮断することにより、オルタネータは車両の推進システムに電気エネルギーを供給しなくなる。
【００５９】
第１リレー２１の選択切換接続部２８は、励起装置１５を制御するフィールドレギュレータ１６に電力を供給する電源ラインに配置されていてもよい。第１リレー２１の制御ポート２２への電力供給が遮断されたときには、選択切換接続部２８が開き状態となって、フィールドレギュレータ１６への電力供給を遮断する。これにより、励起装置１５が停止する。励起装置１５が停止することでオルタネータ１４が停止する。
【００６０】
第２リレー４０の選択切換接続部４２は、第１リレー２１の選択切換接続部２８に直列に配置されていてもよい。第２リレー４０の制御ポート４１への電力供給が遮断されるときには、選択切換接続部４２が開き状態となって、フィールドレギュレータ１６への電力供給が遮断される。
【００６１】
代わりの実施形態では、第１及び第２リレーは、オルタネータと電気駆動装置との間の電気的接続を遮断するよう構成されていてもよい。
【００６２】
代わりの実施形態では、第１及び第２リレーは、エンジンとオルタネータとを機械的に遮断するよう構成されていてもよい。
【００６３】
図３は、推進システムと安全システムとを有する車両１０の更なる実施形態を示す。
【００６４】
ある実施形態では、車両は、エンジン１１と、励起装置１５を有しかつエンジン１１により駆動して電気エネルギーを生成するオルタネータ１４と、オルタネータ１４によって生成された電気エネルギーによって駆動されかつ車両を推進するように構成された電気駆動装置１８と、を備える。
【００６５】
エンジン１１は、クランクシャフト１３を作動させる往復型ピストンを有するシリンダ１２を有し得る。クランクシャフト１３は、エンジンの出力軸を作動させることができる。エンジンはディーゼルエンジンであってもよい。
【００６６】
エンジン１１の出力軸は、オルタネータ１４を回転駆動させる。オルタネータの励起装置１５は、フィールドレギュレータ１６により作動し得る。励起装置が作動するときには、オルタネータは、エンジン１１により供給される機械エネルギーから電気エネルギーを生成することができる。励起装置が作動していないときには、オルタネータは電気エネルギーを生成することができない。
【００６７】
車両は、インターロック回路２０を有する安全システムを更に備えてもよい。インターロック回路２０は、励起装置１５への電力供給を遮断するように構成されている。
【００６８】
ある実施形態では、インターロック回路２０は、励起装置１５に電力を供給する第１電源ライン２９に配置された第１リレー２１を有していてもよい。第１リレー２１は、該第１リレーの制御ポート２２が作動していないときには、励起装置１５への電力供給を遮断するように構成されている。
【００６９】
車両は、第１リレー２１の制御ポート２２への電力供給を遠隔操作するように構成されたリモコン２６を有していてもよい。リモート制御部に遠隔で接続された受信部４６は、制御ポート２２に電力を供給する第２電源ライン２９’での電力供給を遮断するように構成されていてもよい。すなわち、リモコンは、車両のインターロックを作動させるように構成されていてもよい。リモコンは、インターロック回路用のボタンを有していてもよい。
【００７０】
車両は、第１リレー２１の制御ポート２２に電力を供給する第２電源ライン２９’に配置された少なくとも１つのスイッチ２５を有していてもよい。スイッチ２５は、制御ポート２２への電力供給を遮断するために手動で操作することが可能である。
【００７１】
ある実施形態では、車両は、電気駆動装置１８と接続されかつ電気駆動装置１８をブレーキモードで操作する電気リターダ１７を更に備えていてもよい。電気リターダ１７は、インターロック回路２０が作動しているときに、電気駆動装置１８と接続したままになるように構成されている。
【００７２】
電気リターダ１７は、車両の電気駆動装置１８のモータを操作して、車輪１にブレーキトルクを供給する。これにより、電気駆動装置１８のモータは、電気エネルギーを生成する。この電気エネルギーは、抵抗器システム５５により熱として放散され得るか、又はエネルギー貯蔵システムにより回収され得る。
【００７３】
ある実施形態では、車両はパークブレーキ２７を更に備えてもよい。安全システムは、インターロック回路２０が作動しているときには、パークブレーキ２７を係合状態にするように構成されている。
【００７４】
図２及び図３に示す車両制御システムは、組み合わせてもよい。
【００７５】
車両制御システムは、検出システムを更に有していてもよい。検出システムは、車両の位置を検出しかつ車両を取り囲むセンサを有し得る。
【００７６】
車両制御システムは、軌道制御システム、ブレーキ制御システム、及びステアリング制御システムを更に有していてもよい。
【００７７】
車両制御システムは、交通管理システム及び車両管理システムの少なくとも１つと通信してもよい。
【００７８】
図４は、車両を制御するための手動モードと自動モードとの間の移行方法の第１実施形態を示す。この方法は以下のステップを有することができる。
【００７９】
ステップＳ１では、車両は手動モードで操作されている。第１選択スイッチは手動モードに切り換えられており、第２選択スイッチは手動モードに切り換えられている。
【００８０】
ステップＳ２では、第１選択スイッチが手動モードから自動モードに切り換えられる。
【００８１】
ステップＳ３では、第２選択スイッチが手動モードから自動モードに切り換えられる。
【００８２】
スイッチは、車両の制御を手動モードから自動モードに切り換えるために使用される。
【００８３】
本方法では、機械の推進力は、第１選択スイッチが手動モードから自動モードに切り換えられかつ第２選択スイッチが手動モードに切り換えられている移行期間の間、インターロック回路により停止される。
【００８４】
インターロック回路は、第１及び第２選択スイッチにより制御される。
【００８５】
ある実施形態では、本方法は更に以下のステップを含んでもよい。
【００８６】
手動モードで車両を操作するステップＳ１と、第１選択スイッチを手動モードから自動モードに切り換えるステップＳ２とは、車両の車室内で実行されてもよい。
【００８７】
本方法は、ステップＳ２の後に車室を離れるサブステップＳ２．１を含んでもよい。第２スイッチを手動モードから自動モードに切り換えるステップＳ３は、車両に隣接する地面に立ちながら実行される。
【００８８】
ある実施形態では、第２スイッチを手動モードから自動モードに切り換えるステップＳ３の後に実行される更なるステップにおいて、運転者が車両から離れる。
【００８９】
ある実施形態では、更なるステップにおいて、運転者が、遠隔操作部を用いてインターロック回路を停止させてもよい。
【００９０】
本方法のある実施形態では、運転者は、ステップＳ３において第２選択スイッチが手動モードから自動モードに切り換えられる前の任意の時点で、リモコンを用いてインターロック回路を作動させることができる。
【００９１】
図５は、第２実施形態に係る方法を示す。第２実施形態は、第１実施形態と組み合わされてもよい。第２実施形態に係る方法は以下のステップを含むことができる。
【００９２】
ステップＳ４において、車両は手動モードで操作されている。第１選択スイッチは手動モードに切り換えられかつ第２選択スイッチは手動モードに切り換えられている。このステップは、第１実施形態のステップＳ１に対応する。
【００９３】
ステップＳ５において、第１選択スイッチが手動モードから自動モードに切り換えられる。これにより、機械の推進力を停止させるインターロック回路の第１ステージが作動する。ある実施形態では、インターロック回路の第１ステージは、インターロック回路への電力供給を遮断する第１選択スイッチにより作動する。このステップは、第１実施形態のステップＳ２に対応する。
【００９４】
本方法のある実施形態では、ステップＳ６において、運転者がリモコンを用いてインターロック回路の第２ステージを作動させる。この代わりに、又はこれに加えて、第２ステージは、ステップＳ５において、第１選択スイッチが自動モードに切り換えられることで自動的に作動する。
【００９５】
手動モードで車両を操作するステップＳ４と、第１選択スイッチが手動モードから自動モードに切り換えられるステップＳ５とは、車両の車室内で実行されてもよい。すなわち、本方法は車室を離れるステップＳ７を含んでもよい。このステップは、第１実施形態のサブステップＳ２．１に対応する。
【００９６】
ステップＳ８において、第２選択スイッチは、手動モードから自動モードに切り換えられる。これにより、インターロック回路の第１ステージが停止される。ある実施形態では、インターロック回路の第１ステージは、インターロック回路に電力供給するスイッチング状態にある第１及び第２選択スイッチによって停止され得る。電力は、第２ステージによりインターロック回路から、未だ遮断されている。このステップは、第１実施形態のステップＳ３に対応する。
【００９７】
第２選択スイッチを手動モードから自動モードに切り換えるステップＳ５の後に実行されるステップＳ９では、運転者が車両から離れる。
【００９８】
ステップＳ１０では、運転者が、リモコンを用いてインターロック回路を停止させて、機械の推進力をアクティブにする。これは特に、第２ステージを停止させることにより、インターロック回路への電力供給をオンにすることを含む。ある実施形態では、これは特に、リモコンによりインターロック回路の第２ステージを停止させることを含む。
【００９９】
ステップＳ６は、ステップＳ８において第２選択スイッチが手動モードから自動モードに切り換えられる前の任意の時点で実行されてもよい。
【０１００】
第２選択スイッチが手動モードから自動モードに切り換えられるステップＳ８は、車両に隣接する地面に立った状態で実行されてもよい。
【０１０１】
本方法は、自動モードから手動モードに移行するステップを更に含んでもよい。この目的のために、前述と同じ手順を逆の順序で実行すればよい。
【０１０２】
本方法は、図１に示すような車両、図２に示すような車両制御システム、及び図３に示すような車両の推進システム及び安全システムのうちの少なくとも１つで実行することができる。
【０１０３】
ある実施形態では、前述したインターロック回路は、車両の緊急停止機能を提供する。ある実施形態では、インターロック回路は緊急停止部として構成されている。
【０１０４】
したがって、本開示は、追加的な安全機能として、高い安全整合性レベルで電気駆動システムの電源を切るという概念を提供する。これは、計算機やソフトウェアを使用せずに、機械の動力源を確実にオフにするためである。これは、けん引式オルタネータの励起装置への電力を除去するリレーを備えた回路によって達成することができる。励起装置無しでは、機械が推進力を生成することはできない。 これにより、機械の意図しない推進が防止される。
【０１０５】
第１の使用例は、手動運転から自動運転（及びその逆）への安全な移行を含み、安全機能は、高い安全度の整合性レベルで機械の推進力を保証することができる。
【０１０６】
第２の使用例は、システムの誤動作が自動車両の暴走をもたらす可能性を含む。本開示の回路には、非常停止装置への接続が含まれており、遠隔監視者からの非常停止信号により、遠隔で励起装置の接続を切断させて、機械から推進力を取り除くことができる。
【図１】
2020192975.tif 000003
【図２】
2020192975.tif 000004
【図３】
2020192975.tif 000005
【図４】
2020192975.tif 000006
【図５】
2020192975.tif 000007
【外国語明細書】
2020192975000001.pdf